(57)【要約】      （修正有）【課題】地震の際に家具が上下動しても簡単には転倒しない家具転倒防止手段を提供する。【解決手段】壁面の前方に配置された家具１７を固定するための家具転倒防止具であって、長手方向に直線状の溝５が形成され壁面の水平方向に固着されるフレーム体１と、溝５溝内に収容され溝５に沿ってスライド移動可能な少なくとも２つのスライドコマ９と、各スライドコマ９に取り付けられたリング付きボルト１１を備え、２つのリング付きボルト１１間に端部が固定されたワイヤとを備え、スライドコマ９はリング付きボルト１１のねじ込み作用によって溝５内で前面壁に押し当てられ、溝５の任意の位置に固定される。家具１７の左右位置にスライドコマ９をそれぞれ配置し、ワイヤを家具１７の前方に巻回して張るようにする。【選択図】図２
0003233957.tif 000002
【実用新案登録請求の範囲】
【請求項１】
壁面の前方に配置された家具を固定するための家具転倒防止具であって、
長手方向に直線状の溝が形成され前記壁面の水平方向に固着されるフレーム体と、前記溝内に収容され前記溝に沿ってスライド移動可能な少なくとも２つのスライド部材と、前記２つのスライド部材間に端部が固定された紐状体とを備え、
前記２つのスライド部材は固定手段によって任意の位置に固定可能とされていることを特徴とする家具転倒防止具。
【請求項２】
前記フレーム体は前記壁面の裏に配設された間柱に対して前記壁面前面側より固定部材によって前記壁面とともに固定されることを特徴とする請求項１に記載の家具転倒防止具。
【請求項３】
前記固定手段は雄ネジ部材であって、前記雄ネジ部材は前記スライド部材の本体に形成された雌ネジに螺合されており、前記本体は前記雄ネジ部材の回動に伴って前記雄ネジ部材の軸方向に沿って移動可能に前記雄ネジ部材に支持され、前記本体を前記溝内の壁面に圧接させて前記スライド部材を固定するようにしたことを特徴とする請求項１又は２に記載の家具転倒防止具。
【請求項４】
前記雄ネジ部材は前記紐状体を連結する連結部を備えていることを特徴とする請求項３に記載の家具転倒防止具。
【考案の詳細な説明】
【技術分野】
【０００１】
本考案は、壁面の前方に配置された家具を固定するための家具転倒防止具等に関するものである。
【背景技術】
【０００２】
従来から地震で家具が転倒しないようにする部材が提供されている。例えば特許文献１や特許文献２に開示される突っ張り棒のような手段がある。
【先行技術文献】
【特許文献】
【０００３】
【特許文献１】特開２０１４ー８３４１３号公報  図２
【特許文献２】特開２００７ー１４７０８号公報  図１０
【考案の概要】
【考案が解決しようとする課題】
【０００４】
しかし、突っ張り棒のような上から家具を押さえる手段では地震の揺れによって上下動の動きが作用すると簡単に家具から外れてしまい、特に長く揺れ続ける地震では家具が転倒してしまうおそれがあった。そのため地震の際に家具が上下動しても簡単には転倒しない家具転倒防止手段が求められていた。
【課題を解決するための手段】
【０００５】
上記の目的を達成するための第１の手段として、壁面の前方に配置された家具を固定するための家具転倒防止具であって、長手方向に直線状の溝が形成され前記壁面の水平方向に固着されるフレーム体と、前記溝内に収容され前記溝に沿ってスライド移動可能な少なくとも２つのスライド部材と、前記２つのスライド部材間に端部が固定された紐状体とを備え、前記２つのスライド部材は固定手段によって任意の位置に固定可能とされているようにした。
このような構成では、２つのスライド部材を家具を挟んだ左右両側に配置し、２つのスライド部材から家具前面に巻回した紐状体によってしっかりと家具を押さえ込むことができるようにスライド部材の位置を調節する。家具の大きさが異なっても２つのスライド部材の位置を調節して紐状体が常に張った状態で家具を前方から押さえることができることとなるため、地震の揺れで家具が上下に飛び跳ねても容易には紐状体が外れず家具の転倒が防止されることとなる。
【０００６】
また、第２の手段として前記フレーム体は前記壁面の裏に配設された間柱に対して前記壁面前面側より固定部材によって前記壁面とともに固定されるようにした。
これによって、フレーム体は壁を通して間柱にしっかりと固定されることとなる。
また、第３の手段として、前記固定手段は雄ネジ部材であって、前記雄ネジ部材は前記スライド部材の本体に形成された雌ネジに螺合されており、前記本体は前記雄ネジ部材の回動に伴って前記雄ネジ部材の軸方向に沿って移動可能に前記雄ネジ部材に支持され、前記本体を前記溝内の壁面に圧接させて前記スライド部材を固定するようにした。
固定手段の一態様である。このような固定手段であれば雄ネジ部材の本体に対して螺合させるだけでネジの作用によって本体が溝内の壁面に圧接されるためスライド部材を簡単に固定することができる。
また、第４の手段として、前記雄ネジ部材は前記紐状体を連結する連結部を備えているようにした。
雄ネジ部材に紐状体を取り付けやすくなり、かつ外れにくくなる。
【考案の効果】
【０００７】
本考案によれば、地震の揺れで家具が上下に飛び跳ねるように動いても容易に紐状体が家具から外れないため家具の転倒が防止されることとなる。
【図面の簡単な説明】
【０００８】
【図１】実施の形態のフレーム体の壁面への取り付け状態を説明する説明図。
【図２】実施の形態である家具転倒防止具の使用状態を説明する説明図。
【図３】同じ実施の形態のフレーム体の壁面への取り付け状態を説明する一部破断側面図。
【図４】（ａ）はスライドコマとリング付きボルトとを締結する前の正面図、（ｂ）スライドコマにリング付きボルトを締結した状態の一部破断正面図。
【考案を実施するための形態】
【０００９】
以下、本考案の実施の形態である家具転倒防止具の一例について図面に基づいて説明する。
図１〜図３に示すように、家具転倒防止具を構成するアルミ合金製のフレーム体１は室内において壁板２の前面に木ねじ３によって固定されている。フレーム体１は壁板２とともに壁板２の背面に配設された間柱４に木ねじ３によって締結されている。図３に示すように、フレーム体１は押出し成形によって作製された横断面形状が同じに現れる板状部材である。本実施の形態では直線状の３つの平行に配置された溝５が形成されている。溝５は船底形状に構成された内壁面６を備え、前面側が開放されて開口部７が形成されている。開口部７は前面壁８によって上下幅が狭められている。
溝５内にはスライド部材としてのスライドコマ９が配設されている。図４（ａ）（ｂ）に示すように、スライドコマ９は略方形の外形で板状の外形とされている。スライドコマ９の上下幅は溝５の上下幅よりわずかに小さく構成され溝５内で横方向にスライド可能とされるとともに前面壁８によって前方への脱落が防止されている。スライドコマ９の中央には厚み方向に連通する透孔１２が形成され、その内周面に雌ネジ部１２ａが形成されている。
スライドコマ９にはリング付きボルト１１が取り付けられている。スライドコマ９とリング付きボルト１１によってスライド部材が構成されている。リング付きボルト１１は前部にリング１３を備えた雄ネジ部材である。リング付きボルト１１の雄ネジ部１４は雌ネジ部１２ａに螺合されており、リング１３が開口部７から外方に突出させられている。スライドコマ９に対してリング付きボルト１１を螺合させると、ネジ作用によってスライドコマ９は雄ネジ部１４の軸方向に進退する。つまり、リング付きボルト１１を時計回り方向に回動させて進出させると雄ネジ部１４先端が溝５の底部に当接し、スライドコマ９はネジ作用によって前面壁８方向に進出し、前面壁８に押し当てられるようになる。これによって溝５内でスライドコマ９はリング付きボルト１１に締め付けられて移動し、前面壁８との間の摩擦作用によってスライド移動が規制されることでその位置で固定されることとなる。
複数のスライドコマ９がフレーム体１の溝５内に配設されており、それぞれにはリング付きボルト１１が取り付けられている。図３は一例として一番上の溝５と一番下の溝５にスライドコマ９とリング付きボルト１１の組み合わせが配設されている状態である。図２に示すように、異なる位置に配置されたリング付きボルト１１のリング１３間にはステンレス製のワイヤ１５の両端が連結されている。ワイヤ１５は図示しない柔軟なプラスチック製のチューブに収納されている。
【００１０】
上記のような構成において家具転倒防止具は例えば次のように使用される。
図２に示すように、フレーム体１は例えばタンスのような家具１７を配置する位置の背面となる壁板２の前面に取り付けられる。そして、家具の引き出し等の開閉に邪魔とならないような位置の溝５を選択して一対のスライドコマ９を家具１７の両側に露出するように配置する。このとき片方のリング付きボルト１１を一旦スライドコマ９から取り外すと作業が容易となる。そしてワイヤ１５を家具１７の前面から壁板２方向に押さえ込むように強く張り、その位置でリング付きボルト１１を時計回り方向にねじ込んでスライドコマ９を固定する。
このような構成の実施の形態の家具転倒防止具では次のような効果が奏される。
（１）ワイヤ１５で家具１７を前方から押さえ込むので、地震の揺れが続いても容易に家具１７からワイヤ１５が外れず転倒防止効果が大きい。
（２）スライドコマ９は自由にスライドさせられるので大きさの異なる家具１７であっても対応可能である。
（３）溝５は余裕があるため、このような使用以外の用途に用いることが可能である。例えば溝５を利用して防災カバン等をフックで吊り下げるようにしてもよい。
【００１１】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・スライドコマ９の具体的な固定手段について上記は一例である。他の手段でスライドコマ９を固定するようにしてもよい。
・ワイヤ１５の端部を縛るための形状として上記のようなリング状でなくともよい。例えばＴ字状の端部を有するボルト部材を使用してもよい。
・上記ではステンレス製のワイヤ１５を使用したが、例えば丈夫なナイロンロープのような紐でもよい。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
【符号の説明】
【００１２】
１…フレーム体、５…溝、９…スライド部材としてのスライドコマ、１１…固定手段を構成するリング付きボルト、１５…紐状体としてのワイヤ。
【図１】
0003233957.tif 000003
【図２】
0003233957.tif 000004
【図３】
0003233957.tif 000005
【図４】
0003233957.tif 000006